(57)【要約】【課題】部品点数を削減してコストを抑えつつ、外枠に対して不正に中枠を開ける不正行為を防止できる弾球遊技機を提供する。【解決手段】外枠２と、外枠に対して一方の側方部の軸線Ｊ１を中心に開閉可能に取り付けられた中枠３とを備えた弾球遊技機１において、中枠には枠状の機構フレーム３００が配設されており、機構フレームにおける他方の側方部には上下方向に板状をなす板壁部３５１が立ち上げられ、板壁部と一体に外枠と中枠とを施錠する施錠装置８００が配設されており、施錠装置は、鍵を挿入して操作を行う鍵操作部８４０と、鍵操作部の操作に伴い上下方向にスライド移動する上下に長尺で板状のスライド部材８１０と、スライド部材に連結し、スライド部材のスライド移動に伴って可動する係合部材８２０と、を備えており、外枠には、係合部材が係合する被係合部２Ａを備えており、板壁部がスライド部材に対して軸線と反対の中枠の自由端側から重なる。【選択図】図７
2014230726.tif 000002
【特許請求の範囲】
【請求項１】
外枠と、該外枠に対して一方の側方部に設定された軸線を中心に開閉可能に取り付けられた中枠と、を備えた弾球遊技機において、
前記中枠には、遊技部品を取り付ける枠状の機構フレームが配設されており、
該機構フレームにおける前記一方の側方部と逆側の他方の側方部には上下方向に板状をなす板壁部が立ち上げられ、前記板壁部と一体に前記外枠と前記中枠とを施錠する施錠装置が配設されており、
該施錠装置は、
鍵を挿入して操作を行う鍵操作部と、
該鍵操作部の操作に伴い上下方向にスライド移動する上下に長尺で板状のスライド部材と、
該スライド部材に連結し、前記スライド部材のスライド移動に伴って可動する係合部材と、
を備えており、
前記外枠には、前記施錠装置の前記係合部材が係合する被係合部を備えており、
前記板壁部が前記スライド部材に対して前記軸線と反対の前記中枠の自由端側から重なることを特徴とする弾球遊技機。
【発明の詳細な説明】
【技術分野】
【０００１】
本発明は、弾球遊技機に関し、特に、枠同士を施錠及び解錠する施錠装置を備えた弾球遊技機に関するものである。
【背景技術】
【０００２】
従来、パチンコ遊技機等の弾球遊技機は、台島に設置される外枠に対して、遊技部品を取り付ける中枠が回動して開閉可能に構成されている。また、弾球遊技機には、外枠と中枠を施錠及び解錠するための施錠装置も配設されている（例えば、特許文献１参照。）。
【先行技術文献】
【特許文献】
【０００３】
【特許文献１】特許第４０９６１１０号公報
【発明の概要】
【発明が解決しようとする課題】
【０００４】
ここで、遊技者の中には、外枠に対して不正に中枠を開いて、本来得られない不正な利益を得ようとする者がおり、従来、このような不正行為を防止するための遊技機に対する様々な工夫が提案されている。
【０００５】
一方、遊技機には多数の部品が必要であり、遊技機を構成する部品点数をできるだけ少なくして製造コストを抑えたいという要望もある。
【０００６】
本発明は、このような事情に鑑みてなされたものであり、部品点数を削減してコストを抑えつつ、外枠に対して不正に中枠を開ける不正行為を防止することができる構成を有する弾球遊技機を提供することを目的とする。
【課題を解決するための手段】
【０００７】
かかる課題を解決するために、本発明の請求項１に記載の発明は、外枠と、該外枠に対して一方の側方部に設定された軸線を中心に開閉可能に取り付けられた中枠と、を備えた弾球遊技機において、前記中枠には、遊技部品を取り付ける枠状の機構フレームが配設されており、該機構フレームにおける前記一方の側方部と逆側の他方の側方部には上下方向に板状をなす板壁部が立ち上げられ、前記板壁部と一体に前記外枠と前記中枠とを施錠する施錠装置が配設されており、該施錠装置は、鍵を挿入して操作を行う鍵操作部と、該鍵操作部の操作に伴い上下方向にスライド移動する上下に長尺で板状のスライド部材と、該スライド部材に連結し、前記スライド部材のスライド移動に伴って可動する係合部材と、を備えており、前記外枠には、前記施錠装置の前記係合部材が係合する被係合部を備えており、前記板壁部が前記スライド部材に対して前記軸線と反対の前記中枠の自由端側から重なる弾球遊技機としたことを特徴とする。
【０００８】
請求項１に係る発明によれば、機構フレームにおける他方の側方部に立ち上げられた板壁部と一体に外枠と中枠とを施錠する施錠装置が配設されており、かつ、板壁部が施錠装置のスライド部材に対して一方の側面部に設定された軸線と反対の中枠の自由端側から重なるようになっているため、部品点数を削減してコストを抑えつつ、施錠装置のスライド部材を覆い隠して、外枠に対して不正に中枠を開ける不正行為を防止することができる。
【図面の簡単な説明】
【０００９】
【図１】本発明の実施の形態におけるパチンコ遊技機の正面図である。
【図２】同パチンコ遊技機の背面図である。
【図３】同パチンコ遊技機の窓枠を開放して遊技盤を取り外した状態の右斜視図である。
【図４】同パチンコ遊技機の窓枠を開放して遊技盤を取り外した状態の正面図である。
【図５】同パチンコ遊技機から遊技部品を取り外した中枠のみの正面図である。
【図６】同パチンコ遊技機から遊技部品を取り外した中枠のみの背面図である。
【図７】同パチンコ遊技機から遊技部品を取り外した中枠のみの右側面図である。
【図８】図６のＡ−Ａ断面図である。
【図９】同パチンコ遊技機の開放側フレームのみの正面図である。
【図１０】同パチンコ遊技機の開放側フレームのみの右側面図である。
【図１１】同パチンコ遊技機の開放側フレームのみの左側面図である。
【図１２】同パチンコ遊技機の開放側フレームのみの上面図である。
【図１３】同パチンコ遊技機の外枠のみの左斜視図である。
【図１４】図１３の外枠に開放側フレームのみを当てはめた状態の左斜視図である。
【発明を実施するための形態】
【００１０】
以下、本発明の実施の形態における弾球遊技機として、パチンコ遊技機を例にして図面を参照しながら説明する。なお、以下の説明では、パチンコ遊技機を遊技者から見て、手前側をパチンコ遊技機の前側（前面側）とし、奥側をパチンコ遊技機の後側（後面側）として、前後方向を規定する。また、パチンコ遊技機を遊技者から見て、左手側をパチンコ遊技機の左側とし、右手側をパチンコ遊技機の右側として、左右方向を規定する。
【００１１】
まず、本実施の形態のパチンコ遊技機の概略構成について、図１〜図５及び図１３を用いて説明する。図１〜図４に示すように、本実施の形態のパチンコ遊技機１は、主として、外枠２と、中枠３と、窓枠４と、により構成される枠体に、各種の遊技部品が取り付けられて形成されている。
【００１２】
外枠２は、図３に示すように、パチンコ遊技機１の外郭を成し、前後面が開口された略四角筒状に形成される枠体であり、パチンコホール等の遊技場に設けられた台島に設置されている。また、この外枠２の一方の側方部（ここでは、外枠２の左側）には、図１３に示すように、中枠３と共に軸線Ｊ１を構成する外枠上ヒンジ２Ａ及び外枠下ヒンジ２Ｂが設けられており、これを介して、前側の開口部に、中枠３が回動して開閉可能に取り付けられている。
【００１３】
中枠３は、図３に示すように、前後面が開口された略四角筒状に形成される枠体であり、外枠２の前側の開口部に取り付けられている。また、この中枠３の一方の側方部（ここでは、中枠３の左側）には、図５に示すように、外枠２と共に軸線Ｊ１を構成する外枠用上ヒンジ３Ａ及び外枠用下ヒンジ３Ｂが設けられており、これを介して、外枠２に対して回動して開閉可能に取り付けられている。さらに、この中枠３の一方の側方部（ここでは、中枠３の左側）には、図５に示すように、窓枠４と共に軸線Ｊ２を構成する窓枠用上ヒンジ３Ｄ及び窓枠用下ヒンジ３Ｅが設けられており、これを介して、前側の開口部に、窓枠４が回動して開閉可能に取り付けられている。また、図１に示すように、この中枠３には、窓枠４と、下皿ユニット５と、遊技盤６と、が取り付けられている。
【００１４】
窓枠４は、図１に示すように、中央が開口された枠体であり、正面視で中枠３の下部を除く略全面に渡って配置されており、中枠３の前側の開口部に取り付けられている。また、この窓枠４の一方の側方部（ここでは、窓枠４の左側）には、中枠３と共に軸線Ｊ２を構成する図示しない窓枠上ヒンジ及び窓枠下ヒンジが設けられており、これを介して、中枠３に対して回動して開閉可能に取り付けられている。また、窓枠４の中央には、正面視で略円形状の窓枠開口部７が形成されている。この窓枠開口部７は、ガラス又はアクリル等の透明板８により被覆されている。また、窓枠開口部７の下方には、上皿ユニット１００が配設されており、ここに、後述する賞球払出装置１６を介して払い出される賞球や貸球を受けて貯留し、当該遊技球を発射装置１２に導く上皿１１０が配置されている。
【００１５】
下皿ユニット５は、図１に示すように、中枠３の下部であって窓枠４の下方に取り付けられている。この下皿ユニット５の中央部の左側には、上皿１１０から溢れた遊技球が貯留される下皿１０が配設されている。また、下皿ユニット５の右部であって下皿１０の右方には、上皿１１０に貯留された遊技球を後述する遊技領域６Ａに発射するために遊技者が操作する操作ハンドル２００が配設されている。
【００１６】
また、図１に示すように、中枠３における操作ハンドル２００の上方には、中枠３及び窓枠４を施錠する施錠装置８００を操作するための鍵操作部８４０が設けられている。そして、窓枠４を開く際には、この鍵操作部８４０に所定のキーを挿入して所定方向（例えば左方向）に回せば、施錠装置における窓枠４のロック状態が解除されて、窓枠用上ヒンジ３Ｄと図示しない窓枠上ヒンジ、窓枠用下ヒンジ３Ｅと図示しない窓枠下ヒンジで構成された軸線Ｊ２を介して、窓枠４のみを開くことができるようになっている。また、中枠３を開く際には、この鍵操作部８４０に所定のキーを挿入して別の所定方向（例えば右方向）に回せば、施錠装置における中枠３のロック状態が解除されて、外枠用上ヒンジ３Ａと外枠上ヒンジ２Ａ、外枠用下ヒンジ３Ｂと外枠下ヒンジ２Ｂで構成された軸線Ｊ１を介して、窓枠４と一体に中枠３を開くことができるようになっている。なお、施錠装置８００の詳細は、後述する。
【００１７】
遊技盤６は、図１に示すように、遊技球が転動する領域である遊技領域６Ａが形成される部材である。遊技盤６は、窓枠４の後方であって、正面視で中枠３の下部を除く略全面に渡って配置されている。具体的には、図２及び図５に示すように、中枠３の周囲には、種々の遊技部品を取り付けるための例えば金属製の枠状の機構フレーム３００が設けられており、この機構フレーム３００に対して遊技盤６が遊技機前面側から着脱可能に取り付けられている。また、遊技盤６の遊技領域６Ａは、窓枠４の窓枠開口部７の後方に配置され、前方から透明板８を介して視認可能に構成されている。なお、遊技領域６Ａには、液晶表示器やＣＲＴなどの表示装置や、入賞装置、多数の遊技釘等が設けられているが、ここでは図示を省略している。
【００１８】
また、図２に示すように、機構フレーム３００の裏面側には、機構フレーム３００に沿うように枠状に形成された合成樹脂製の後枠部材３１０を有しており、この後枠部材３１０を介して合成樹脂製の裏面カバー３２０が蝶番３１１により開閉可能に取り付けられている。
【００１９】
また、図３及び図４に示すように、中枠３における下皿ユニット５の中央部右側（上皿１１０の後方右側）には、遊技球を遊技領域６Ａへ向けて発射する発射装置１２が設けられている。この発射装置１２は、上皿１１０から発射位置１２Ａに供給された遊技球を連続的に叩打する発射ソレノイドと発射槌を有しており、当該発射槌によって叩打された遊技球は発射レール１３に沿って遊技領域６Ａへ向けて発射されるようになっている。また、中枠３における発射装置１２の前方には、上皿１１０から連通するカセット状の球送り装置４００が設けられており、この球送り装置４００により、上皿１１０から供給された遊技球を、１つずつ発射装置１２の発射位置１２Ａに送り出すようになっている。
【００２０】
また、中枠３における発射装置１２の後方には、図２に示すように、発射制御基板１４を備えており、発射ハンドル２００，発射装置１２及び球送り装置４００と電気的に繋がっている。
【００２１】
また、図２に示すように、中枠３の裏側最上段には、上方に開口した賞球タンク１５が機構フレーム３００に固定されている。この賞球タンク１５は、台島から供給される遊技球を貯留すると共に後述する賞球払出装置１６に供給するものであり、その底面が傾斜した構造となっている。本実施の形態では、賞球タンク１５の底面は遊技機裏側から見て右側（遊技機正面から見て左側）に傾斜しており、その下流に遊技球を１列に整列させて後述する賞球払出装置１６に遊技球を送り出す通路を形成するタンクレール１７が取り付けられている。
【００２２】
また、図２に示すように、中枠３の機構フレーム３００の裏面側に取り付けられた後枠部材３１０の裏側右端部（正面から見て左端部）には、上皿１１０に対して所定個数ずつ遊技球を払い出す賞球払出装置１６が取り付けられている。
【００２３】
また、図２に示すように、中枠３の機構フレーム３００の裏面側に取り付けられた後枠部材３１０の裏側下方部には、裏面側から見て右側（正面から見て左側）に賞球払出装置１６を駆動制御する払出制御基板２０が配設されており、裏面側から見て左側（正面から見て右側）にＡＣ２４Ｖの供給電源からＤＣ５ＶやＤＣ１２Ｖ等の各種駆動電源を生成して供給する電源基板２１が配設されている。また、この電源基板２１の前面側（遊技者側）には、前記した発射制御基板１４が配設されている。
【００２４】
次に、施錠装置８００について、図５〜図１４を用いて説明する。
【００２５】
この施錠装置８００は、図５〜図１２に示すように、前記した枠状の機構フレーム３００における軸線Ｊ１及び軸線Ｊ２が設けられた一方の側方部とは逆側の他方の側方部（ここでは、正面視で右側）に位置する開放側フレーム（すなわち、枠状の機構フレーム３００のうちの右側部のフレーム）３５０の上下方向に板状をなして立ち上げられた板壁部３５１と一体に形成されている。そのため、図２〜図４に示すように、施錠装置８００と一体化した開放側フレーム３５０の後方には、機構フレーム３００の機能として前記した後枠部材３１０が取り付けられており、この後枠部材３１０にさらに他の遊技部品が取り付けられている。以下、この開放側フレーム３５０の板壁部３５１と一体に形成された施錠装置８００について、詳細に説明する。
【００２６】
本実施の形態の施錠装置８００は、前記した鍵操作部８４０の他、スライド部材８１０、係合部材としての外枠用上爪部材８２１、係合部材としての外枠用下爪部材８２２、窓枠用係合部材としての窓枠用上爪部材８５１、窓枠用係合部材としての窓枠用下爪部材８５２等で構成されている。
【００２７】
このうち、スライド部材８１０は、図９，図１１，図１４に示すように、中枠３の横方向から見て上下に長尺で板状となるように配置された略長板状の部材であり、開放側フレーム３５０の板壁部３５１の上部から下部にわたって配置されている。このスライド部材８１０は、鍵操作部８４０に挿入したキーを回動させることに連動して、上下方向にスライド移動するように構成されている。
【００２８】
また、このスライド部材８１０は、構造上、露出していても不正に動かすことができない鍵操作部８４０付近以外の全てが開放側フレーム３５０における板壁部３５１で、軸線Ｊ１と反対の中枠３の自由端側（ここでは遊技機の右側）から重なって覆われており、中枠３の外方の横側（ここでは右側）にスライド部材８１０が露出しないようにその大部分が被覆されている。すなわち、開放側フレーム３５０の板壁部３５１が、スライド部材８１０を被覆する被覆部として構成されている。また、本実施の形態では、図１２に示すように、板壁部３５１からスライド部材８１０の後側も覆うように連続して板壁部３５１の壁面が配置されており、中枠３の右側と共に、中枠３の後側からもスライド部材８１０を被覆する被覆部として構成されている。
【００２９】
また、本実施の形態のスライド部材８１０は、図８に示すように、中枠３を構成する樹脂部材３０１によって、中枠３の内側（左側）から見ても露出がないように重なって被覆されている。さらに、本実施の形態では、図５に示すように、中枠３を構成する樹脂部材３０１が中枠３の前側も覆っており、中枠３の前側から見ても露出がないように重なって被覆されている。
【００３０】
これらにより、外枠２に対して中枠３を開放したり中枠３に対して窓枠４を開放したりして不正行為を行おうとする者に対し、枠同士を開放させるためにスライド部材８１０にアクセスすることが難しくなり、その結果、不正行為を防止することができる。
【００３１】
さらに、このスライド部材８１０には、図１１及び図１４に示すように、上下方向を長手方向とする長孔８１１が複数形成されている。また、開放側フレーム３５０の板壁部３５１には、図７，図１０，図１１，図１４に示すように、スライド部材８１０の複数の長孔８１１に対応するように、内側方向（中枠３の左方向）に複数のガイド突起３５２が突出形成されている。そして、スライド部材８１０の長孔８１１に板壁部３５１のガイド突起３５２が挿入されることで、開放側フレーム３５０の板壁部３５１に対してスライド部材８１０が支持されると共に、ガイド突起３５２が、上下方向にスライド部材８１０がスライド移動する際のガイドとして機能するようになっている。このように開放側フレーム３５０の被覆部としての板壁部３５１が、施錠装置８００のスライド部材８１０の支持部及びガイド部を兼ねているので、施錠装置８００としての機能や機構フレーム３００としての機能、ゴト防止機能等を備えつつ、さらに当該箇所の部品点数を削減することができるようになっている。
【００３２】
また、施錠装置８００における中枠３の前面側には、後方に連通する鍵操作部８４０が配置されている。この鍵操作部８４０は、前記したように、鍵を挿入して回動操作を行うことで、スライド部材８１０を上下方向にスライド移動させるものであり、図２及び図６に示すように、その後方にスライド部材８１０と係合する回動部材８４１が固定されている。この回動部材８４１は、鍵を挿入して右回転させると当該回転と同じだけ右回転し、鍵を挿入して左回転させると当該回転と同じだけ左回転するようになっている。また、回動部材８４１には、図６に示すように、上下に突起部８４２，８４３を有しており、この突起部８４２，８４３がスライド部材８１０に係合しており、回動部材８４１が正面視で右回転（背面視の図６では左回転）して下の突起部８４３が上方向に動くと、係合しているスライド部材８１０を上方向に移動させ、回動部材８４１が正面視で左回転（背面視の図６では右回転）して上の突起部８４２が下方向に動くと、係合しているスライド部材８１０を下方向に移動させるようになっている。
【００３３】
また、鍵操作部８４０には、回転した状態から元の状態に戻ろうとする付勢力が働く付勢手段が設けられており、鍵を挿入して右回転又は左回転させた後に手を離すと、回動部材８４１も回転前の状態に戻るようになっている。また、これに連動して、上下動したスライド部材８１０も、元の位置に戻るようになっている。
【００３４】
また、施錠装置８００の上部及び下部の後側には、スライド部材８１０と連結して、当該スライド部材８１０の上下方向のスライド移動に伴って上下動する係合部材としての外枠用上爪部材８２１及び外枠用下爪部材８２２が配設されている。この外枠用上爪部材８２１及び外枠用下爪部材８２２は、外枠２に対して中枠３を閉じたときに、それぞれ、図１３に示すような、外枠２の被係合部としての上被係合部２Ｃ及び下被係合部２Ｄに係合するようになっており、これにより、外枠２と中枠３の施錠が行われるようになっている。
【００３５】
また、この外枠用上爪部材８２１及び外枠用下爪部材８２２は、鍵操作部８４０を右方向に回転させて、スライド部材８１０を上方向にスライド移動させたときに、スライド部材８１０の移動に連動して上方向に移動するようになっており、これにより、外枠２と中枠３が閉じているときには、外枠２に対して中枠３が解錠されて開放されるようになっている。また、鍵操作部８４０が付勢手段の付勢力で元の位置に戻るように左方向に回転するときには、外枠用上爪部材８２１及び外枠用下爪部材８２２に設けられた下方向への付勢手段によって、外枠用上爪部材８２１及び外枠用下爪部材８２２は、下方向に移動するようになっている。
【００３６】
また、施錠装置８００の上部及び下部の前側には、スライド部材８１０と連結して、当該スライド部材８１０の上下方向のスライド移動に伴って上下動する窓枠用係合部材としての窓枠用上爪部材８５１及び窓枠用下爪部材８５２が配設されている。この窓枠用上爪部材８５１及び窓枠用下爪部材８５２は、中枠３に対して窓枠４を閉じたときに、それぞれ、図示しない窓枠４側の窓枠被係合部に係合するようになっており、これにより、中枠３と窓枠４の施錠が行われるようになっている。
【００３７】
また、この窓枠用上爪部材８５１及び窓枠用下爪部材８５２は、鍵操作部８４０を左方向に回転させて、スライド部材８１０を下方向にスライド移動させたときに、スライド部材８１０の移動に連動して下方向に移動するようになっており、これにより、中枠３と窓枠４が閉じているときには、中枠３に対して窓枠４が解錠されて開放されるようになっている。また、鍵操作部８４０が付勢手段の付勢力で元の位置に戻るように右方向に回転するときには、窓枠用上爪部材８５１及び窓枠用下爪部材８５２に設けられた上方向への付勢手段によって、窓枠用上爪部材８５１及び窓枠用下爪部材８５２は、上方向に移動するようになっている。
【００３８】
以上のように、本実施の形態のパチンコ遊技機（弾球遊技機）１は、外枠２と、外枠２に対して一方の側方部に設定された軸線Ｊ１を中心に開閉可能に取り付けられた中枠３と、を備えたパチンコ遊技機（弾球遊技機）１において、中枠３には、遊技部品を取り付ける枠状の機構フレーム３００が配設されており、機構フレーム３００における一方の側方部と逆側の他方の側方部には上下方向に板状をなす板壁部３５１が立ち上げられ、板壁部３５１と一体に外枠２と中枠３とを施錠する施錠装置８００が配設されており、施錠装置８００は、鍵を挿入して操作を行う鍵操作部８４０と、鍵操作部８４０の操作に伴い上下方向にスライド移動する上下に長尺で板状のスライド部材８１０と、スライド部材８１０に連結し、スライド部材８１０のスライド移動に伴って可動する係合部材としての外枠用上爪部材８２１及び外枠用下爪部材８２２と、を備えており、外枠２には、施錠装置８００の係合部材としての外枠用上爪部材８２１及び外枠用下爪部材８２２が係合する被係合部としての上被係合部２Ｃ及び下被係合部２Ｄを備えており、板壁部３５１がスライド部材８１０に対して軸線Ｊ１と反対の中枠３の自由端側から重なるパチンコ遊技機（弾球遊技機）１としたことを特徴とする。
【００３９】
そして、本実施の形態によれば、機構フレーム３００における他方の側方部に立ち上げられた板壁部３５１と一体に外枠２と中枠３とを施錠する施錠装置８００が配設されており、かつ、板壁部３５１が施錠装置８００のスライド部材８１０に対して一方の側面部に設定された軸線Ｊ１と反対の中枠３の自由端側から重なるようになっているため、部品点数を削減してコストを抑えつつ、施錠装置８００のスライド部材８１０を覆い隠して、外枠２に対して不正に中枠３を開ける不正行為を防止することができる。
【００４０】
また、本実施の形態のパチンコ遊技機（弾球遊技機）１は、中枠３と、中枠３に対して一方の側方部に設定された軸線Ｊ２を中心に開閉可能に取り付けられた窓枠４と、を備えたパチンコ遊技機（弾球遊技機）１において、中枠３には、遊技部品を取り付ける枠状の機構フレーム３００が配設されており、機構フレーム３００における一方の側方部と逆側の他方の側方部には上下方向に板状をなす板壁部３５１が立ち上げられ、板壁部３５１と一体に内枠３と窓枠４とを施錠する施錠装置８００が配設されており、施錠装置８００は、鍵を挿入して操作を行う鍵操作部８４０と、鍵操作部８４０の操作に伴い上下方向にスライド移動する上下に長尺で板状のスライド部材８１０と、スライド部材８１０に連結し、スライド部材８１０のスライド移動に伴って可動する窓枠用係合部材としての窓枠用上爪部材８５１及び窓枠用下爪部材８５２と、を備えており、窓枠４には、施錠装置８００の窓枠用係合部材としての窓枠用上爪部材８５１及び窓枠用下爪部材８５２が係合する図示しない窓枠被係合部を備えており、板壁部３５１がスライド部材８１０に対して軸線Ｊ２と反対の中枠３の自由端側から重なるパチンコ遊技機（弾球遊技機）１としたことを特徴とする。
【００４１】
そして、本実施の形態によれば、機構フレーム３００における他方の側方部に立ち上げられた板壁部３５１と一体に中枠３と窓枠４とを施錠する施錠装置８００が配設されており、かつ、板壁部３５１が施錠装置８００のスライド部材８１０に対して一方の側面部に設定された軸線Ｊ２と反対の中枠３の自由端側から重なるようになっているため、部品点数を削減してコストを抑えつつ、施錠装置８００のスライド部材８１０を覆い隠して、中枠３に対して不正に窓枠４を開ける不正行為を防止することができる。
【００４２】
なお、以上説明した実施の形態は、本発明の理解を容易にするために記載されたものであって、本発明を限定するために記載されたものではない。
【００４３】
例えば、前記した実施の形態では、パチンコ遊技機を用いて説明したが、これに限るものではなく、本発明は、雀球遊技機やアレンジボール等の他の弾球遊技機にも適用可能である。
【００４４】
また、前記した実施の形態では、板壁部は、スライド部材のうち、構造上、露出していても不正に動かすことができない鍵操作部付近以外の全ての部分に、一方の側面部に設定された軸線と反対の中枠の自由端側（遊技機の右横側）から重なるようになっていたが、これに限るものではなく、板壁部が鍵操作部付近にも重なっており、当該板壁部が、スライド部材の全ての部分に、一方の側面部に設定された軸線と反対の中枠の自由端側から重なるようになっていても良い。また、逆に、板壁部がスライド部材のうちの不正行為を行い易い箇所（例えば、スライド部材と爪部材や窓枠用爪部材が連結している箇所や、スライド部材に長孔が形成されている箇所等）のみを覆っており、当該不正行為を行い易い部分に、一方の側面部に設定された軸線と反対の中枠の自由端側から重なるようになっていても良い。
【００４５】
また、前記した実施の形態では、中枠には、外枠との間を施錠するための係合部材として外枠用上爪部材及び外枠用下爪部材の２つを備えており、窓枠との間を施錠するための窓枠用係合部材として窓枠用上爪部材及び窓枠用下爪部材の２つを備えていたが、これに限るものではなく、枠同士を施錠するための係合手段（係合部材や窓枠用係合部材）は１つ又は３つ以上であっても良いし、他の形状からなる係合手段（係合部材や窓枠用係合部材）が用いられても良い。また、係合手段（係合部材や窓枠用係合部材）は、スライド部材に連結して同じ方向にスライド移動するものだけでなく、スライド部材のスライド移動に応じて回動したり異なる方向に移動したりする構成のものであっても良い。この場合でも、板壁部が、鍵操作部と連動してそれらの係合手段を操作するスライド部材に、一方の側面部に設定された軸線と反対の中枠の自由端側から重なるようになっていれば良い。
【００４６】
また、鍵操作部についても、前記したような回動させる構成に限るものではなく、押し込むことで鍵の操作を行うものや、スライドさせることで鍵の操作を行うもの等、適宜のタイプのものを用いれば良い。
【符号の説明】
【００４７】
１…パチンコ遊技機（弾球遊技機）、２…外枠、２Ｃ…上被係合部（被係合部）、２Ｄ…下被係合部（被係合部）、３…中枠、３００…機構フレーム、３５１…板壁部、８００…施錠装置、８１０…スライド部材、８２１…外枠用上爪部材（係合部材）、８２２…外枠用下爪部材（係合部材）、８４０…鍵操作部、Ｊ１…軸線
【図１】
2014230726.tif 000003
【図２】
2014230726.tif 000004
【図３】
2014230726.tif 000005
【図４】
2014230726.tif 000006
【図５】
2014230726.tif 000007
【図６】
2014230726.tif 000008
【図７】
2014230726.tif 000009
【図８】
2014230726.tif 000010
【図９】
2014230726.tif 000011
【図１０】
2014230726.tif 000012
【図１１】
2014230726.tif 000013
【図１２】
2014230726.tif 000014
【図１３】
2014230726.tif 000015
【図１４】
2014230726.tif 000016